(57)【要約】【目的】記念の花などをなるべく原形に忠実に押し花にして鑑賞できるようにしたステンドグラス風装飾体を提供する。【構成】押し花を用いた装飾体として、少なくとも片面に凹凸１５を有する板ガラス１２を使用し、押し花１３を挟んで形成した板状装飾部１４を有し、板ガラス１１、１２の凹凸側を内側に配置してその凹凸構造によって押し花１３に対する固定力を高めるようにする。【選択図】        図１
2004174715.tif 000002
【特許請求の範囲】
【請求項１】
押し花を用いた装飾体であって、少なくとも片面に凹凸を有する板ガラスを使用し、押し花を挟んで形成した板状装飾部を有し、板ガラスの凹凸面を内側に配置してその凹凸構造によって押し花に対する固定力を高めるようにしたことを特徴とする押し花を用いたステンドグラス風装飾体。
【請求項２】
板状装飾部は、押し花を挟んだ２枚の板ガラスの縁を銅等の金属製テープによって巻き締め、ハンダ付け等の結合手段で一体化することにより形成した密封構造を有する請求項１記載の押し花を用いたステンドグラス風装飾体。
【請求項３】
板ガラスは、透明なクラッケルガラスより成る請求項１又は２記載の押し花を用いたステンドグラス風装飾体。
【請求項４】
板状装飾部を照明するための照明部と組み合わせられる請求項１ないし３のいずれかに記載の押し花を用いたステンドグラス風装飾体。
【発明の詳細な説明】
【０００１】
【発明の属する技術分野】
本発明は、押し花を用いたステンドグラス風装飾体に関するものである。
【０００２】
【従来の技術】
この種の装飾品には、ガラスを使用したものが多い、というよりも、ガラスか或いはその代替品としての合成樹脂材料が必らずといって良いほど使用されている。それらは、ガラス材等をフードとして使用する照明器具の類が殆どである。他方、花や植物の姿、形をモチーフとする装飾品も少なくはないが、従来見られたのは額装しただけの押し花程度である。中には押し花をガラス材やプラスチック中に封入したものも知られているが、簡単に製造できるものではなく、また形態も特殊になる。
【０００３】
【発明が解決しようとする課題】
本発明は前記の点に着目してなされたもので、その課題は、記念の花などを、なるべく原形に忠実に押し花にして鑑賞できるようにしたステンドグラス風装飾体を提供することである。また本発明の他の課題は、製造が比較的容易で、押し花の形態や配置を長時間維持できるステンドグラス風装飾体を提供することである。
【０００４】
【課題を解決するための手段】
前記の課題を解決するため本発明は、少なくとも片面に凹凸を有する板ガラスを使用し、押し花を挟んで形成した板状装飾部を有し、板ガラスの凹凸面を内側に配置してその凹凸構造によって押し花に対する固定力を高めるという手段を講じたものである。
【０００５】
本発明で用いることができる押し花に制限は特にないが、課題の項に言及したように、何かの式などの記念にプレゼントされた花束やその一部のようなものを用いると記念にもなり、贈呈価値も高まる。
【０００６】
押し花は、少なくとも片面に凹凸を有する板ガラス即ち板状のガラス材を使用して、挟んで固定し、板状装飾部を構成する。つまり、押し花は２枚の板ガラスに挟んで固定され、その際、板ガラスの凹凸面を内側に配置することによって、凹凸構造による押し花に対する固定力が高められるようになる。
【０００７】
２枚の板ガラスは、その内の１枚の板ガラスの片面に凹凸を有していれば十分である。このような板ガラスとしては、ステンドグラス用のクラッケルガラスが最適であるが、それに限られるものでもないのは勿論である。
【０００８】
押し花を挟んでいる２枚の板ガラスは、これらの縁を銅等の金属製テープによって巻き締め、さらにハンダ付けすることにより一体化することができる。この一体化構造によって押し花も密封され、外部の菌やその増殖を助ける湿気から遮断されるので、変色やかびの発生から免れ得る。
【０００９】
このような板状装飾部を照明するために、本発明のものは照明部を組み合わせることができる。照明部により押し花が照明され、暗い条件下では、例えばインテリアランプなどとして使用することもできる。
【００１０】
【発明の実施の形態】
以下図示の例を参照しながら本発明をより詳細に説明する。図１ないし図５は不定形の正面形状に形成した２枚の板ガラス１１、１２の間に押し花１３を挟んで形成した板状装飾部１４を主要素として有するステンドグラス風装飾体１０の例１である。一方の板ガラス１１は平滑面のみから成るクリヤーガラスで構成され、他の一方の板ガラス１２は片面が凹凸１５になっているステンドグラス用のクリヤークラッケルガラスで構成されている。押し花１３は予め接着剤を用いてどちらか一方の板ガラスに仮止めしておく。
【００１１】
２枚の板ガラス１１、１２は、押し花１３を挟んだ状態で図５に示すように、縁を銅テープから成る巻き縁１６によって巻き締め、２枚の板ガラス１１、１２の縁にハンダ層１７、１７を介して取り付けられている。図１に示した板状装飾部１４は、その素材である板ガラス１１、１２と同形の第３板ガラス２１及びそれら板ガラス１１、１２、２１に併用する必要数の補助ガラス２２、２３、２４、２５と組み合わされ、平面形状がコ字型のステンドグラス風装飾体構造１０を形成している。各ガラス素材（２１、２２、２３、２４、２５）も夫々の縁に巻き縁２６を設けるとともにハンダ層２７を形成し、それらをハンダ付け２８することによって立体として組み立てられ、図２に示した変形ぼんぼり型の、押し花を用いたステンドグラス風装飾体１０となる。
【００１２】
２０は照明部であり、スタンド１９を有していて、ステンドグラス風装飾体１０の中の空間に配置される。２９はそのコードを示す。
【００１３】
図６、図７は、前記の例１が１面だけの板状装飾部１４しか有していないのに対して、２個の板状装飾部３１、３１′でほぼ全体を構成した例２を示す。本例２は、２個の板状装飾部３１、３１を所定の間隔に配置するとともにその両側を側板３２、３２によって結合し、かつ下部に脚部３３を取り付けたものである。板状装飾部３１それ自体の構造は図１及び図５で説明したのと同様で良いので、共通構成については符号を援用し、詳細な説明は省略する。
【００１４】
従って押し花１３は、例２のステンドグラス風装飾体１０′のほぼ全体を支配し、相対的に豪華な印象となる。このステンドグラス風装飾体１０′は、照明部３５と併用することができるが、例示の照明部３５は台座３６とその上に設けた多数の線香花火型の灯体３７を有し、これらの灯体３７は板状装飾部３１の効果を最上のものとするために自由に曲げて配置を変えることができる。
【００１５】
【発明の効果】
このように本発明によれば、少なくとも片面に凹凸を有する板ガラスによって押し花に対する固定力が高められ、従来の平滑面のみから成るものと比較して大きなものでも押し花がずれ動いてしまうことがなく、記念の花などを原形になるべく忠実に押し花にして鑑賞することができる等顕著な効果を奏する。
【図面の簡単な説明】
【図１】本発明の押し花を用いたステンドグラス風装飾体の例１を示す分解斜視図。
【図２】同上の組立状態を示す分解斜視図。
【図３】図２中央部縦断面図。
【図４】図３のＩＶ−ＩＶ断面図。
【図５】（ａ）板ガラスの縁にコッパーテープを巻き締めた状態の工程図。
（ｂ）さらにハンダ層を設けた状態の工程図。
（ｃ）同じく結合手段により一体化した状態の工程図。
【図６】本発明の例２を示す斜視図。
【図７】同上の組立状態を示す分解斜視図。
【符号の説明】
１０、１０′  押し花を用いたステンドグラス風装飾体
１１  一方のガラス
１２、２２、２３、２４、２５  ガラス
１３  押し花
１４、３１、３１′  板状装飾部
１５  凹凸
【図１】
2004174715.tif 000003
【図２】
2004174715.tif 000004
【図３】
2004174715.tif 000005
【図４】
2004174715.tif 000006
【図５】
2004174715.tif 000007
【図６】
2004174715.tif 000008
【図７】
2004174715.tif 000009